(57)【特許請求の範囲】
【請求項１】
釣竿の穂先側先端に配置され釣糸を係止する釣糸係止具であって、
釣竿の竿体の穂先側先端に装着された本体部と、
前記本体部の穂先側端部に突出した柱状部と、
前記柱状部の穂先側先端に設けられた円盤状の抜止部と、
前記柱状部に配置されたリング部材とを備え、
前記リング部材は弾性体からなり前記柱状部材上の軸方向の任意位置に移動可能である
ことを特徴とする釣糸係止具。
【請求項２】
前記リング部材は、前記柱状部に、軸方向に間隔を隔てて配置された一対のリング部材である
ことを特徴とする請求項１に記載の釣糸係止具。
【請求項３】
釣竿の穂先側先端に配置され釣糸を係止する釣糸係止具であって、
釣竿の竿体の穂先側先端に装着された本体部と、
前記本体部の穂先側端部に突出した柱状部と、
前記柱状部の穂先側先端に設けられた円盤状の抜止部と、
前記柱状部に配置されたリング部材とを備え、
前記リング部材は、前記柱状部に、軸方向に間隔を隔てて配置された一対のリング部材であり、
前記一対のリング部材の少なくとも一方が弾性体であって前記柱状部材上の軸方向の任意位置に移動可能である
ことを特徴とする釣糸係止具。
【請求項４】
釣竿の穂先側先端に配置され釣糸を係止する釣糸係止具であって、
釣竿の竿体の穂先側先端に装着され、穂先側端部に孔付端面を有するパイプ状部材と、
前記パイプ状部材内に回転自在に配置され、前記パイプ状部材の孔から突出した柱状部を有する回転体と、
前記柱状部の穂先側先端に脱着自在に設けられた円盤状の抜止部と、
前記柱状部に配置されたリング部材とを備え、
前記リング部材は弾性体からなり前記柱状部材上の軸方向の任意位置に移動可能である
ことを特徴とする釣糸係止具。
【請求項５】
前記リング部材は、前記柱状部に、軸方向に間隔を隔てて配置された一対のリング部材である
ことを特徴とする請求項４に記載の釣糸係止具。
【請求項６】
釣竿の穂先側先端に配置され釣糸を係止する釣糸係止具であって、
釣竿の竿体の穂先側先端に装着され、穂先側端部に孔付端面を有するパイプ状部材と、
前記パイプ状部材内に回転自在に配置され、前記パイプ状部材の孔から突出した柱状部を有する回転体と、
前記柱状部の穂先側先端に脱着自在に設けられた円盤状の抜止部と、
前記柱状部に配置されたリング部材とを備え、
前記リング部材は、前記柱状部に、軸方向に間隔を隔てて一対のリング部材であり、
前記一対のリング部材の少なくとも一方が弾性体であって前記柱状部材上の軸方向の任意位置に移動可能である
ことを特徴とする釣糸係止具。
【請求項７】
前記パイプ状部材には、内部の竿体側に、球状部材が配置されている
ことを特徴とする請求項４〜６のいずれか１項に記載の釣糸係止具。
【発明の詳細な説明】
【０００１】
【発明の属する技術分野】
本発明は、釣竿の穂先側先端に設けられ釣糸を係止する釣糸係止具に関する。
【０００２】
【従来の技術】
従来の釣竿は、竿体と竿体の穂先側先端に設けられた、例えば「ヘビ口」と呼ばれる毛糸状の釣糸係止具を有するものがある。この釣竿では、釣人は「ヘビ口」の先端に釣糸を係止して魚釣りを行う。釣糸の先端の仕掛けに魚がかかって釣糸が左右に振れまた回転すると、「ヘビ口」が釣糸と共に回転して、竿体に釣糸が絡みつくのを抑えている。
【０００３】
上述の「ヘビ口」と呼ばれる釣糸係止具では、魚が暴れて左右に釣糸が激しく振れた場合等において、釣糸が釣糸係止具に絡まってしまう場合も考えられる。そこで、先端に抜止部を有する金属製柱状部材を備えた釣糸係止具が知られている。この釣糸係止具では、柱状部材に釣糸を係止し、釣糸を滑らせて回転させて釣糸が釣糸係止具に絡みつくのを抑えている。
【０００４】
【発明が解決しようとする課題】
従来の金属製柱状部材を備えた釣糸係止具では、柱状部材に釣糸を結び付けて係止し魚釣りを行っていると、釣糸の結び方によっては釣糸がゆるんで柱状部材から外れてしまう恐れがある。一方で、釣糸がゆるまないように強力に釣糸を釣糸係止部に結び付けると、後に釣糸を釣糸係止具から外す際に面倒である。
【０００５】
本発明の課題は、釣糸が外れにくくまた釣糸が絡みにくい釣糸係止具を提供することにある。
【０００８】
【課題を解決するための手段】
発明１にかかる釣糸係止具は、釣竿の穂先側先端に配置され釣糸を係止する釣糸係止具であって、釣竿の竿体の穂先側先端に装着された本体部と、本体部の穂先側端部に突出した柱状部と、柱状部の穂先側先端に設けられた円盤状の抜止部と、柱状部に配置されたリング部材とを備え、リング部材は弾性体からなり柱状部材上の軸方向の任意位置に移動可能であることを特徴とする。
【０００９】
この場合には、柱状部の抜止部とリング部材との間に釣糸を結び付けて係止して魚釣りを行う。釣糸の先端の仕掛けに魚がかかって釣糸が左右に振れまた回転すると、釣糸の後端の結び目も柱状部上で滑って回転する。この結果、釣糸が柱状部に絡みつくのを防止できる。ここで、釣糸は抜止部とリング部材の間に係止されており、抜止部とリング部材とによって挟持されているので、釣りを行っている際に釣糸の結び目がゆるんで、釣糸が柱状部から外れてしまうのも防止できる。
また、この場合には、柱状部に釣糸を係止後、弾性体からなるリング部材を柱状部上で移動させて、例えば、抜止部とリング部材とによって釣糸を挟持して結び目がゆるむのを防止する。そして、釣糸が柱状部から外れてしまうのを抑える。
【００１０】
発明２にかかる釣糸係止具は、発明１の釣糸係止具であって、前記リング部材は、柱状部に、軸方向に間隔を隔てて配置された一対のリング部材であることを特徴とする。
【００１１】
この場合には、柱状部の一対のリング部材間に釣糸を結び付けて釣りを行う。この一対のリング部材が釣糸を挟持して、釣糸の結び目がほどけてしまうのを抑える。
【００１２】
発明３にかかる釣糸係止具は、釣竿の穂先側先端に配置され釣糸を係止する釣糸係止具であって、釣竿の竿体の穂先側先端に装着された本体部と、前記本体部の穂先側端部に突出した柱状部と、前記柱状部の穂先側先端に設けられた円盤状の抜止部と、前記柱状部に配置されたリング部材とを備え、前記リング部材は、前記柱状部に、軸方向に間隔を隔てて配置された一対のリング部材であり、前記一対のリング部材の少なくとも一方が弾性体であって柱状部材上の軸方向の任意位置に移動可能であることを特徴とする。
【００１３】
この場合には、釣糸を柱状部に係止後、弾性体からなるリング部材を他方のリング部材方向に移動させて、一対のリング部材間に釣糸を挟持する。
【００１４】
発明４にかかる釣糸係止具は、釣竿の穂先側先端に配置され釣糸を係止する釣糸係止具であって、釣竿の竿体の穂先側先端に装着され穂先側端部に孔付端面を有するパイプ状部材と、パイプ状部材内に回転自在に配置されパイプ状部材の孔から突出した柱状部を有する回転体と、柱状部の穂先側先端に脱着自在に設けられた円盤状の抜止部と、柱状部に配置されたリング部材とを備え、前記リング部材は弾性体からなり前記柱状部材上の軸方向の任意位置に移動可能であることを特徴とする。
【００１５】
この場合には、回転体の柱状部上の抜止部とリング部材との間に釣糸を結び付けて係止して釣りを行う。釣糸の先端の仕掛けに魚がかかって釣糸が左右に振れまた回転すると、釣糸とともに回転体も回転して釣糸が柱状部に絡みつくのを防止する。ここで、釣糸は抜止部とリング部材の間に係止されており、抜止部とリング部材とによって挟持されているので、釣りを行っている際に釣糸の結び目がゆるんで、釣糸が柱状部から外れてしまうのも防止できる。
【００１６】
発明５にかかる釣糸係止具は、発明４の釣糸係止具であって、前記リング部材は、柱状部に、軸方向に間隔を隔てて配置された一対のリング部材であることを特徴とする。
【００１７】
この場合には、柱状部の一対のリング部材間に釣糸を結び付けて釣りを行う。一対のリング部材が釣糸を挟持して、釣糸の結び目がほどけてしまうのを抑える。
【００１８】
発明６にかかる釣糸係止具は、釣竿の穂先側先端に配置され釣糸を係止する釣糸係止具であって、釣竿の竿体の穂先側先端に装着され、穂先側端部に孔付端面を有するパイプ状部材と、前記パイプ状部材内に回転自在に配置され、前記パイプ状部材の孔から突出した柱状部を有する回転体と、前記柱状部の穂先側先端に脱着自在に設けられた円盤状の抜止部と、前記柱状部に配置されたリング部材とを備え、前記リング部材は、前記柱状部に、軸方向に間隔を隔てて一対のリング部材であり、前記一対のリング部材の少なくとも一方が弾性体であって前記柱状部材上の軸方向の任意位置に移動可能であることを特徴とする。
【００１９】
この場合には、弾性体からなるリング部材が柱状部に結び付けられた釣糸をおさえて結び目がゆるむのを防止する。そして、釣糸が柱状部から外れてしまうのを抑える。
【００２０】
発明７にかかる釣糸係止具は、発明４〜６のいずれかの釣糸係止具であって、パイプ状部材には、内部の竿体側に、球状部材が配置されていることを特徴とする。
【００２１】
この場合には、回転体が球状部材と一点で接触するようになっており、回転体が回転する際の摩擦力が十分に抑えられている。さらに球状部材１２自体も回転可能であり回転体が回転する際の摩擦力をさらに低下させる。この結果、回転体は釣糸と共に十分に回転して釣糸の糸絡みを抑える。
【００２２】
【発明の実施の形態】
［第１実施形態］
以下、本発明の第１実施形態について図面を参照しつつ説明する。
【００２３】
本発明の第１実施形態を採用した釣竿は、図１に示すように、竿体１と竿体１の竿元側端部に設けられたグリップ２と、竿体１の穂先側先端に固定された釣糸係止具１０とを有している。
【００２４】
竿体１は炭素繊維，ガラス繊維等の強化樹脂に合成樹脂を含浸させたプリプレグをマンドレルに巻回して焼成し成形して得たものであり、先端が細いテーパ状の筒状部材である。竿体１は複数の竿体を振出形式または並継形式に連結して構成されている。また、グリップ２は、竿体１の竿尻にはめ込まれ、接着剤等で接着された蓋付き円筒型部材であり、例えば、ウレタンゴム等のゴム系弾性体，コルク材等の木材等を加工して製造したものである。
【００２５】
釣糸係止具１０は、図２に示すように、竿体１の穂先側先端に固定されたパイプ状の本体部１１と、本体部１１内の竿体側に回転自在に配置された球状部材１２と、本体部１１内の穂先側に球状部材１２に当接するように配置されている回転体１３と、回転体１３の穂先側に突出して設けられ釣糸Ｌが係止される柱状部１４と、柱状部１４の穂先側先端に取り外し可能に設けられた円盤状の抜止部１５とを有している。そして、柱状部１４には、一対のゴムリング１６ａ，１６ｂが軸方向に間隔を隔てて配置されている。
【００２６】
本体部１１は、竿元側が開口し穂先側に孔１１ａが形成された端面を有するチタン，スチール，ステンレスまたはこれらの合金からなる金属製の筒状部材である。そして、開口している竿元側から竿体１の穂先側先端が挿入されており、接着剤等で接着され固定されている。
【００２７】
球状部材１２は、本体部１１の内周面半径よりやや小径の径を有する球状のものであり、チタン，ステンレス等の金属製または合成樹脂製部材である。また、回転体１３も球状部材１２と同様に、本体部１１の内周面半径よりやや小径の径を有する球状のものであり、チタン、ステンレス等の金属製または合成樹脂製部材である。回転体１３の竿元側端部は平面状に加工された接面部１３ａとなっており、穂先側には柱状部１４が連続している。この接面部１３ａで球状部材１２と回転体１３は互いに当接しながら、それぞれ本体部１１内において回転自在に配置されている。
【００２８】
柱状部１４は回転体１３と一体成形された柱状突起部材であり、本体部１１の孔１１ａから穂先側に向かって突出している。また、柱状部１４の穂先側先端は他の部分に比べてやや小径であり、二股に縦割りされている。そして、この穂先側先端がハトメ部１４ａとなっている。このハトメ部１４ａに円盤状の抜止部１５がハトメの要領でかしめて固定されている。この抜止部１５は金属製の円盤状部材であり、中央部にハトメ部１４ａの周径に合致するような挿入口１５ａが設けられている。
【００２９】
一対のゴムリング１６ａ，１６ｂは、それぞれ中央に柱状部１４の外径にほぼ合致する貫通孔が形成されたリング状部材である。この貫通孔に柱状部１４が貫通する状態でゴムリング１６ａ，１６ｂは柱状部１４上に間隔を隔てて配置されている。また、ゴムリング１６は外径側がやや肉厚に形成されている。
【００３０】
この釣糸係止具１０は釣竿１に以下のようにして取り付けられて製造される。
【００３１】
まず、抜止部１５が取り付けられていない柱状部１４及び回転体１３を、柱状部１４が孔１１ａから突出するように本体部１１内に配置する。そして、回転体１３の接面部１３ａが球状部材１２に当接するように、球状部材１２を本体部１１内に収納する。この際、球状部材１２及び回転体１３が本体部１１内に良好に回転できるように、本体部１１の内周面には必要に応じてグリース等の潤滑剤が塗布される。なお、球状部材１２及び回転体１３にも潤滑油を塗布してもよい。次に、本体部１１の開口側から竿体１の穂先側先端を挿入する。竿体１の穂先側先端外周には接着剤が塗布されており、この接着剤によって竿体１の穂先側先端に本体部１１が固定される。その後、穂先側から柱状部１４にゴムリング１６を挿入し、さらに、抜止部１５の挿入口１５ａに柱状部１４のハトメ部１４ａを挿入し、ハトメ部１４ａを縦割りしてかしめて固定する。
【００３２】
このように構成された釣竿では、柱状部１４のゴムリング１６間に釣糸Ｌを結び付けて係止して魚釣りを行う。釣糸Ｌの先端の仕掛けに魚がかかって釣糸Ｌが左右に振れまた回転すると、釣糸Ｌとともに、回転体１３及び柱状部１４も回転する。この結果、釣糸Ｌが柱状部１４に絡みつくのを防止できる。ここで、釣糸Ｌは一対のゴムリング１６の間に係止されており、この一対のゴムリング１６によって挟持されているので、釣りを行っている際に釣糸Ｌの結び目がゆるんで、釣糸Ｌが柱状部１４から外れてしまうのも防止できる。特に、ゴムリング１６の径外側が肉厚であり、ゴムリング１６間に係止される釣糸Ｌの結び目がゆるむのを有効に抑えられる。また、回転体１３が球状部材１２と一点で接触するようになっており、回転体１３が回転する際の摩擦力が十分に抑えられている。さらに球状部材１２自体も回転可能であり回転体１３が回転する際の摩擦力をさらに低下させる。
【００３３】
［第２実施形態］
本発明の第２実施形態について、図面を参照しつつ説明する。
【００３４】
本発明の第２実施形態を採用した釣竿は、第１実施形態と同様に、竿体１と竿体１の竿元側端部に設けられたグリップ２と、竿体１の穂先側先端に固定された釣糸係止具２０とを有している。
【００３５】
釣糸係止具２０は、図３に示すように、竿体１の穂先側先端に固定されたパイプ状の本体部２１と、本体部２１の穂先側に突出して設けられ釣糸Ｌが係止される柱状部２４と、柱状部２４の穂先側先端に取り外し可能に設けられた円盤状の抜止部２５とを有している。そして、柱状部２４には、一対のゴムリング２６ａ，２６ｂが軸方向に間隔を隔てて配置されている。
【００３６】
本体部２１は、竿元側が開口した金属製または合成樹脂製の筒状部材である。閉口した穂先側端面から穂先側に柱状部２４が突出している。そして、開口している竿元側から竿体１の穂先側先端が挿入されており、接着剤等で接着され固定されている。
【００３７】
柱状部２４は本体部２１と一体成形された柱状突起部材であり、本体部２１の穂先側に向かって突出している。柱状部２４の穂先側先端は他の部分に比べてやや小径でありねじ山が形成され、雄ネジ部２４ａとなっている。この雄ネジ部２４ａには円盤状の抜止部２５が螺合して脱着自在に固定されている。この抜止部２５は金属製の円盤状部材であり、中央部に雄ネジ部２４ａに螺合可能な孔が設けられている。
【００３８】
一対のゴムリング２６ａ，２６ｂは、それぞれ中央に柱状部２４の外径にほぼ合致する貫通孔が形成されたリング状部材である。この貫通孔に柱状部２４が貫通する状態でゴムリング２６ａ，２６ｂは柱状部２４上に間隔を隔てて配置されている。ここで、穂先側に配置されるゴムリング２６ａは円盤状の抜止部２５の外径よりも大きな外径を有している。
【００３９】
この釣糸係止具２０では、抜止部２５が取り付けられていない柱状部２４に穂先側からゴムリング２６を挿入し、さらに、抜止部２５を柱状部２４の雄ネジ部２４ａに螺合させて固定する。
【００４０】
このように構成された釣竿では、柱状部２４のゴムリング２６間に釣糸Ｌを結び付けて係止して魚釣りを行う。釣糸Ｌの先端の仕掛けに魚がかかって左右に振れまた回転すると、釣糸Ｌの後端の結び目も柱状部２４上を滑って回転するので、釣糸Ｌが柱状部２４に絡みつくのを防止できる。ここで、釣糸Ｌは一対のゴムリング２６の間に係止されており、この一対のゴムリング２６によって挟持されているので、釣りを行っている際に釣糸Ｌの結び目がゆるんで、釣糸Ｌが柱状部２４から外れてしまうのも防止できる。
【００４１】
さらに、穂先側に配置されるゴムリング２６ａの外径は抜止部２５の外径より大きく形成されているので、使用時に釣糸Ｌが抜止部２５の外周縁に接触して破損するのも防止できる。
【００４２】
［第３実施形態］
本発明の第３実施形態について、図面を参照しつつ説明する。
【００４３】
本発明の第３実施形態を採用した釣竿は、第１実施形態と同様に、竿体１と竿体１の竿元側端部に設けられたグリップ２と、竿体１の穂先側先端に固定された釣糸係止具３０とを有している。
【００４４】
釣糸係止具３０は、図４に示すように、竿体１の穂先側先端に固定されたパイプ状の本体部３１と、本体部３１内に回転自在に配置された回転体３３と、回転体３３の穂先側に突出して設けられ釣糸Ｌが係止される柱状部３４と、柱状部３４の穂先側先端に取り外し可能に設けられた円盤状の抜止部３５とを有している。そして、柱状部３４には、ゴムリング３６と金属リング３７とが軸方向に間隔を隔てて配置されている。
【００４５】
本体部３１は、竿元側が開口し穂先側に孔３１ａが形成された端面を有するチタン，スチール，ステンレスまたはこれらの合金からなる金属製の筒状部材である。そして、開口している竿元側から竿体３１の穂先側先端が挿入されており、接着剤等で接着され固定されている。
【００４６】
回転体３３は、本体部３１の内周面半径よりやや小径の径を有する円筒型部材であり、チタン，ステンレス等の金属製または合成樹脂製部材である。本体部３１内において回転自在に配置されている。また、穂先側端面には柱状部３４が連続して形成されている。
【００４７】
柱状部３４は回転体３３と一体成形された柱状部材であって、本体部３１の孔３１ａから穂先側に向かって突出している。また、柱状部３４の穂先側先端は他の部分に比べてやや小径でねじ山が形成されており、雄ネジ部３４ａとなっている。この雄ネジ部３４ａに円盤状の抜止部３５が螺合され固定されている。この抜止部３５は金属製の円盤状部材であり、中央部に雄ネジ部３４ａに螺合可能な孔が設けられている。
【００４８】
ゴムリング３６及び金属リング３７は、ゴムリング３６が穂先側に位置するようにして互いに軸方向に間隔を隔てて柱状部３４上に配置されている。それぞれ中央に柱状部３４の外径にほぼ合致する貫通孔が形成されたリング状部材である。ゴムリング３６は自らの弾性によって柱状部３４の軸方向の任意位置に移動可能であり、金属リング３７は柱状部３４の所定の位置に接着剤または溶接等によって固定されている。
【００４９】
このように構成された釣竿では、柱状部３４のゴムリング３６と金属リング３７との間に釣糸Ｌを結び付けて係止し、ゴムリング３６を金属リング３７側へ移動させて釣糸Ｌをゴムリング３６と金属リング３７とで挟持する。魚釣り時に釣糸Ｌの先端の仕掛けに魚がかかって釣糸Ｌが左右に振れまた回転すると、釣糸Ｌとともに、回転体３３及び柱状部３４も回転する。この結果、釣糸Ｌが柱状部３４に絡みつくのを防止できる。ここで、釣糸Ｌはゴムリング３６及び金属リング３７の間に挟持されているので、釣りを行っている際に釣糸Ｌの結び目がゆるんで、釣糸Ｌが柱状部３４から外れてしまうのも防止できる。
【００５０】
［第４実施形態］
本発明の第４実施形態について、図面を参照しつつ説明する。
【００５１】
本発明の第４実施形態を採用した釣竿は、第１実施形態と同様に、竿体１と竿体１の竿元側端部に設けられたグリップ２と、竿体１の穂先側先端に固定された釣糸係止具４０とを有している。
【００５２】
釣糸係止具４０は、図５に示すように、竿体１の穂先側先端に固定されたパイプ状の本体部４１と、本体部４１内の竿元側に回転自在に配置された球状部材４２と、本体部４１内に球状部材４２の穂先側に隣接して配置された回転体４３と、回転体４３の穂先側に突出して設けられ釣糸Ｌが係止される柱状部４４と、柱状部４４の穂先側先端に取り外し可能に設けられた円盤状の抜止部４５とを有している。そして、柱状部４４にはゴムリング４６が配置されている。
【００５３】
本体部４１は、竿元側が開口し穂先側に孔４１ａが形成された端面を有するチタン，スチール，ステンレスまたはこれらの合金からなる金属製の筒状部材である。そして、開口している竿元側から竿体４１の穂先側先端が挿入されており、接着剤等で接着され固定されている。
【００５４】
球状部材４２は、本体部４１の内周面半径よりやや小径の径を有する球状のものであり、チタン，ステンレス等の金属製または合成樹脂製部材である。また、回転体４３も球状部材４２と同様に、本体部４１の内周面半径よりやや小径の径を有する円筒状部材であり、チタン，ステンレス等の金属製または合成樹脂製部材である。これらの球状部材４２と回転体４３とは互いに当接しながら、それぞれ本体部４１内において回転自在に配置されている。
【００５５】
柱状部４４は回転体４３と一体成形された柱状部材であって、本体部４１の孔４１ａから穂先側に向かって突出している。また、柱状部４４の穂先側先端は他の部分に比べてやや小径でねじ山が形成されており、雄ネジ部４４ａとなっている。この雄ネジ部４４ａに円盤状の抜止部４５が螺合され固定されている。この抜止部４５は金属製の円盤状部材であり、中央部に雄ネジ部４４ａに螺合可能な孔が設けられている。
【００５６】
ゴムリング４６は中央に柱状部４４の外径にほぼ合致する貫通孔が形成されたリング状部材である。径外側がやや肉厚になるように形成されており、また、ゴムリング４６は自らの弾性によって柱状部４４の軸方向の任意位置に移動可能である。
【００５７】
このように構成された釣竿では、柱状部４４のゴムリング４６と抜止部４５との間に釣糸Ｌを結び付けて係止し、ゴムリング４６を抜止部４５側へ移動させて釣糸Ｌをゴムリング４６と抜止部４５とで挟持する。魚釣り時に釣糸Ｌの先端の仕掛けに魚がかかって釣糸Ｌが左右に振れまた回転すると、釣糸Ｌとともに、回転体４３及び柱状部４４も回転する。この結果、釣糸Ｌが柱状部４４に絡みつくのを防止できる。ここで、釣糸Ｌはゴムリング４６及び抜止部４５の間に挟持されているので、釣りを行っている際に釣糸Ｌの結び目がゆるんで、釣糸Ｌが柱状部４４から外れてしまうのも防止できる。
【００５８】
［他の実施形態］
（ａ）ゴムリングは中央付近に切り欠き形成して釣糸を収納可能なポケットを設けてもよい。
（ｂ）ゴムリングと金属リングとは互いにその位置を変えてもよい。
（ｃ）１つのゴムリングを柱状部に装着した際に、本体部とゴムリングとの間に釣糸を係止してもよい。この場合にも、ゴムリングの外径が抜止部の外径よりも大きく形成されていると、抜止部の外周縁に釣糸が接触して釣糸が破損するのを防止できる。
【００５９】
【発明の効果】
本発明に係る釣糸係止具によれば、糸絡みを抑えると共に使用時に釣糸が外れてしまうのも防止できる。
【００６０】
【図面の簡単な説明】
【図１】本発明の第１実施形態を採用した釣竿の全体図。
【図２】図１の釣糸係止具１０の拡大断面図。
【図３】本発明の第２実施形態を採用した釣糸係止具２０の拡大断面図。
【図４】本発明の第３実施形態を採用した釣糸係止具３０の拡大断面図。
【図５】本発明の第４実施形態を採用した釣糸係止具４０の拡大断面図。
【符号の説明】
１  竿体
１０，２０，３０，４０  釣糸係止具
１１，２１，３１，４１  本体部
１２，４２  球状部材
１３，２３，３３，４３  回転体
１４，２４，３４，４４  柱状部
１５，２５，３５，４５  抜止部
１６，２６，３６，４６  ゴムリング
３７  金属リング
Ｌ  釣糸
【図１】
0004138139.tif 000002
【図２】
0004138139.tif 000003
【図３】
0004138139.tif 000004
【図４】
0004138139.tif 000005
【図５】
0004138139.tif 000006